(57)【要約】無線装置は、前のアクセス試行についての履歴情報を格納し、アクセスチャネルでの現在のアクセス試行のための出力送信電力を下げるためにこの情報を使用する。履歴情報は、前のアクセス試行のＲＦ状態、前のアクセス試行の性能、および前のアクセス試行に使用された電力値を含み得る。電力値は、電力調整または初期電力レベルとすることができる。現在のアクセス試行では、無線装置は、履歴情報を取得し、現在のＲＦ状態を決定し、現在のＲＦ状態および履歴情報に基づいて、このアクセス試行についての電力値を決定する。無線装置は、電力値および他の適用可能なパラメータに基づいて、各アクセスプローブの出力電力を決定し、決定された出力電力で、各アクセスプローブを送る。無線装置は、アクセス試行を完了すると、履歴情報を更新する。
2009521878.tif 000002
【特許請求の範囲】
【請求項１】
通信ネットワークとの前のアクセス試行についての履歴情報を格納するように構成されているメモリと、
前記メモリに結合されており、前記前のアクセス試行についての前記履歴情報に基づいて電力値を決定し、現在のアクセス試行のために、前記電力値をアクセスチャネルでの送信に使用するように構成されているプロセッサとを備える装置。
【請求項２】
前記プロセッサは、前記アクセスチャネルで送られる各アクセスプローブの出力電力を決定し、前記アクセスプローブについて決定された前記出力電力で各アクセスプローブを送るために、前記電力値を使用するように構成されている、請求項１に記載の装置。
【請求項３】
前記プロセッサは、前記電力値に基づいて、前記現在のアクセス試行における第１のアクセスプローブの出力電力を算出し、前記第１のアクセスプローブの前記出力電力および電力ステップに基づいて、その後の各アクセスプローブの出力電力を算出するように構成されている、請求項１に記載の装置。
【請求項４】
前記電力値は、電力調整のためのものである、ここにおいて各アクセスプローブの前記出力電力は、第１および第２の部分を備える、ここにおいて前記第１の部分は、前記履歴情報を考慮に入れない前記アクセスプローブの出力電力に対応する、ここにおいて前記第２の部分は、前記電力調整に対応する、請求項２に記載の装置。
【請求項５】
前記電力値は、各アクセスプローブの前記出力電力を算出するために使用される初期電力レベルのためのものである、請求項２に記載の装置。
【請求項６】
前記プロセッサは、各アクセスプローブの前記出力電力を、前記履歴情報を考慮に入れない前記アクセスプローブの出力電力以下に制限するように構成されている、請求項２に記載の装置。
【請求項７】
前記履歴情報は、前記前のアクセス試行についての無線周波数状態、前記前のアクセス試行に使用される電力値、前記前のアクセス試行のために送られたアクセスプローブの数、またはその組み合わせを備える、請求項１に記載の装置。
【請求項８】
前記メモリは、前記前のアクセス試行のために送られたアクセスプローブの数を格納するように構成されている、ここにおいて前記プロセッサは、前記前のアクセス試行のために送られたアクセスプローブの数に基づいて、前記現在のアクセス試行についての前記電力値を決定するように構成されている、請求項１に記載の装置。
【請求項９】
前記メモリは、前記前のアクセス試行のために使用された電力値を格納するように構成されている、ここにおいて前記プロセッサは、前記前のアクセス試行のために使用された前記電力値に基づいて、前記現在のアクセス試行についての前記電力値を決定するように構成されている、請求項１に記載の装置。
【請求項１０】
前記プロセッサは、前記前のアクセス試行のために使用された前記電力値を、前記前のアクセス試行のために送られたアクセスプローブの数によって決定された量だけ調整し、前記調整された電力値を前記現在のアクセス試行についての前記電力値として使用するように構成されている、請求項９に記載の装置。
【請求項１１】
前記メモリは、前記前のアクセス試行についての無線周波数状態を格納するように構成されている、ここにおいて前記プロセッサは、前記前のアクセス試行についての前記無線周波数状態、および前記現在のアクセス試行についての無線周波数状態に基づいて、前記現在のアクセス試行についての前記電力値を決定するように構成されている、請求項１に記載の装置。
【請求項１２】
前記プロセッサは、前記現在のアクセス試行についての無線周波数状態と前記前のアクセス試行についての無線周波数状態との間の差を決定し、前記無線周波数状態の間の前記差に基づいて、前記現在のアクセス試行についての前記電力値を決定するように構成されている、請求項１１に記載の装置。
【請求項１３】
前記プロセッサは、前記前のアクセス試行のために使用された電力値を、前記無線周波数状態の間の前記差によって決定された量だけ調整し、前記調整された電力値を前記現在のアクセス試行についての前記電力値として使用するように構成されている、請求項１２に記載の装置。
【請求項１４】
前記プロセッサは、前記無線周波数状態の間の前記差、および前記前のアクセス試行のために送られたアクセスプローブの数に基づいて、電力デルタを決定し、前記電力デルタおよび前記前のアクセス試行についての電力値に基づいて、前記現在のアクセス試行についての前記電力値を決定するように構成されている、請求項１２に記載の装置。
【請求項１５】
前記通信ネットワークは、ｃｄｍａ２０００ネットワークである、請求項１に記載の装置。
【請求項１６】
前記通信ネットワークは、汎用移動通信システムネットワークである、請求項１に記載の装置。
【請求項１７】
通信ネットワークとの前のアクセス試行についての履歴情報を取得すること、
前記前のアクセス試行についての前記履歴情報に基づいて、電力値を決定すること、および
現在のアクセス試行のために、前記電力値をアクセスチャネルでの送信に使用することを備える方法。
【請求項１８】
前記電力値を決定することは、
前記現在のアクセス試行についての無線周波数状態、前記前のアクセス試行についての無線周波数状態、前記前のアクセス試行に使用された電力値、前記前のアクセス試行についての性能、またはその組み合わせに基づいて、前記電力値を決定することを備える、請求項１７に記載の方法。
【請求項１９】
前記電力値を前記アクセスチャネルでの送信に使用することは、
前記電力値に基づいて、前記アクセスチャネルで送られる各アクセスプローブの出力電力を決定すること、および
前記アクセスプローブのために決定された前記出力電力で、各アクセスプローブを送ることを備える、請求項１７に記載の方法。
【請求項２０】
各アクセスプローブの前記出力電力を決定することは、
各アクセスプローブの前記出力電力を、前記履歴情報を考慮に入れない前記アクセスプローブの出力電力以下に制限することを備える、請求項１９に記載の方法。
【請求項２１】
通信ネットワークとの前のアクセス試行についての履歴情報を取得するための手段と、
前記前のアクセス試行についての前記履歴情報に基づいて、電力値を決定するための手段と、
現在のアクセス試行のために、前記電力値をアクセスチャネルでの送信に使用するための手段とを備える装置。
【請求項２２】
前記電力値を決定するための前記手段は、
前記現在のアクセス試行についての無線周波数状態、前記前のアクセス試行についての無線周波数状態、前記前のアクセス試行に使用された電力値、前記前のアクセス試行についての性能、またはその組み合わせに基づいて、前記電力値を決定するための手段を備える、請求項２１に記載の装置。
【請求項２３】
前記電力値を前記アクセスチャネルでの送信に使用するための前記手段は、
前記電力値に基づいて、前記アクセスチャネルで送られる各アクセスプローブの出力電力を決定するための手段と、
前記アクセスプローブのために決定された前記出力電力で、各アクセスプローブを送るための手段とを備える、請求項２１に記載の装置。
【請求項２４】
各アクセスプローブの前記出力電力を決定するための前記手段は、
各アクセスプローブの前記出力電力を、前記履歴情報を考慮に入れない前記アクセスプローブの出力電力以下に制限するための手段を備える、請求項２３に記載の装置。
【請求項２５】
下記を行うように無線装置において動作可能な命令を格納するためのプロセッサ可読媒体：
通信ネットワークとの前のアクセス試行についての履歴情報を取得すること、
前記前のアクセス試行についての前記履歴情報に基づいて、電力値を決定すること、および
現在のアクセス試行のために、前記電力値をアクセスチャネルでの送信に使用すること。
【請求項２６】
下記を行うように動作可能な命令をさらに格納するための、請求項２５に記載のプロセッサ可読媒体：
前記現在のアクセス試行についての無線周波数状態、前記前のアクセス試行についての無線周波数状態、前記前のアクセス試行に使用された電力値、前記前のアクセス試行についての性能、またはその組み合わせに基づいて、前記電力値を決定すること。
【請求項２７】
下記を行うように動作可能な命令をさらに格納するための、請求項２５に記載のプロセッサ可読媒体：
前記電力値に基づいて、前記アクセスチャネルで送られる各アクセスプローブの出力電力を決定すること、および
前記アクセスプローブのために決定された前記出力電力で、各アクセスプローブを送ること。
【請求項２８】
下記を行うように動作可能な命令をさらに格納するための、請求項２７に記載のプロセッサ可読媒体：
各アクセスプローブの前記出力電力を、前記履歴情報を考慮に入れない前記アクセスプローブの出力電力以下に制限すること。
【発明の詳細な説明】
【技術分野】
【０００１】
本開示は、一般に通信に関し、より詳細には、無線通信ネットワークにおけるアクセスチャネルでの送信のための技術に関する。
【背景技術】
【０００２】
無線多元接続通信ネットワークは、音声、パケットデータ、画像、同報通信、メッセージング(messaging)など様々な通信サービスを提供するために、広範にわたって配置されている。これらのネットワークは、使用可能なシステムリソースを共有することによって、マルチプルの(multiple)無線装置（例えば、セルラー電話など）の通信をサポートすることができる。こうした多元接続ネットワークの例には、符号分割多元接続（ＣＤＭＡ）ネットワーク、時分割多元接続（ＴＤＭＡ）ネットワーク、および周波数分割多元接続（ＦＤＭＡ）ネットワークが含まれる。
【０００３】
一般に、無線装置は、多元接続ネットワークにアクセスするため、および他の目的のために、アクセスチャネルでの送信を行う。例えば、無線装置は、装置の電源がオンになるとネットワークに登録するために、ネットワークで音声またはデータの呼を発するために、必要に応じてネットワークが装置を呼び出すことができるように装置の所在をネットワークに知らせるためになど、アクセスチャネルでの送信を行うことができる。無線装置がアクセスチャネルでの送信を行うことができる方法は、一般に、ネットワークによって指定され、かつ／または制御される。例えば、ネットワークは、無線装置がアクセスチャネルでの送信をどのぐらいの頻度で行うことができるか、アクセスチャネルでの送信時に使用する出力電力レベルはどれだけかなどを指定することができる。
【０００４】
アクセスチャネルは、すべての無線装置によって共有される共通チャネルである。一般に、ネットワークは、すべての無線装置が所望の成功率でネットワークにアクセスできるように、アクセスチャネルでの動作を制御する。したがって、ネットワークによって課される、または示唆される制御は、一般に、保守的である。無線装置は、多くの場合、ネットワークにわたって分散されており、異なるチャネル条件に従う。ネットワークによって課されるまたは示唆される保守的な制御に基づいて、無線装置のすべてにアクセスチャネルでの送信を行わせると、結果として高価なシステムリソースが無駄になることが多い。
【０００５】
したがって、当技術分野では、アクセスチャネルでの送信をより効率的に行う技術が必要である。
【発明の開示】
【発明の概要】
【０００６】
本明細書には、多元接続通信ネットワークにおけるアクセスチャネルでの送信を、平均してより低い出力電力で行うための技術が記載されている。無線装置は、前のアクセス試行についての履歴情報を格納し、可能ならば、新しいアクセス試行のための出力電力を下げるために、この情報を使用する。履歴情報は、前のアクセス試行について観察された無線周波数（ＲＦ）状態、前のアクセス試行についての性能、前のアクセス試行に使用された電力値などを含み得る。
【０００７】
現在のアクセス試行のために、無線装置は、前のアクセス試行についての履歴情報を取得し、現在のＲＦ状態を決定する。無線装置は、現在のＲＦ状態および履歴情報に基づいて、現在のアクセス試行の電力値を決定する。電力値は、電力調整値、初期電力レベル、またはアクセスチャネルの出力電力の算出に使用される他の何らかの値とすることができる。電力値は、様々な方法で決定することができ、下記に示されるように、よい性能を達成するために、閉ループ方法で調整することができる。無線装置は、電力値および他の適用可能なパラメータに基づいて、現在のアクセス試行のために送られる各アクセスプローブの出力電力を決定する。無線装置は、決定された出力電力で、各アクセスプローブを送信する。現在のアクセス試行を完了すると、無線装置は、このアクセス試行についての情報を含めるように、履歴情報を更新する。
【０００８】
以下で、本発明の様々な態様および実施形態についてさらに詳しく説明する。
【０００９】
本発明の特徴および性質は、以下に記載されている詳細な説明を、同じ参照文字が全体を通して対応的に付されている図面と併せ読めば、より明らかになる。
【詳細な説明】
【００１０】
「例」という用語は、本明細書では、「例、具体例、または実例としての役割を果たす」ことを意味するために使用される。「例」として本明細書に記載された任意の実施形態または設計は、必ずしも他の実施形態または設計より好ましいまたは有利であると解釈されるものではない。
【００１１】
本明細書に記載されている技術は、ＣＤＭＡネットワーク、ＴＤＭＡネットワーク、ＦＤＭＡネットワーク、直交周波数分割多元接続（ＯＦＤＭＡ）ネットワーク、シングルキャリア周波数分割多元接続（single-carrier frequency division multiple access：ＳＣ−ＦＤＭＡ）ネットワークなど、様々な無線多元接続通信ネットワークに使用することができる。ＣＤＭＡネットワークは、ｃｄｍａ２０００、広帯域ＣＤＭＡ（Ｗ−ＣＤＭＡ）など、１つまたはそれより多くの１つまたはそれより多くの無線アクセス技術（ＲＡＴ）を実装し得る。ｃｄｍａ２０００は、ＩＳ−９５、ＩＳ−２０００、およびＩＳ−８５６標準をカバーする。ＴＤＭＡネットワークは、ＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎｓ）、Ｄ−ＡＭＰＳ（Ｄｉｇｉｔａｌ  Ａｄｖａｎｃｅｄ  Ｍｏｂｉｌｅ  Ｐｈｏｎｅ  Ｓｙｓｔｅｍ）、または他の何らかのＲＡＴを実装し得る。ＧＳＭおよびＷ−ＣＤＭＡは、「３ＧＰＰ（３ｒｄ  Ｇｅｎｅｒａｔｉｏｎ  Ｐａｒｔｎｅｒｓｈｉｐ  Ｐｒｏｊｅｃｔ）」と呼ばれる機構の文書に記載されている。ｃｄｍａ２０００は、「３ＧＰＰ２（３ｒｄ  Ｇｅｎｅｒａｔｉｏｎ  Ｐａｒｔｎｅｒｓｈｉｐ  Ｐｒｏｊｅｃｔ  ２）」と呼ばれる機構の文書に記載されている。３ＧＰＰおよび３ＧＰＰ２の文書は、公に入手可能である。
【００１２】
一般に、本明細書に記載されている技術は、無線装置が全出力未満で共通チャネル（例えばアクセスチャネル）での送信を行う任意の通信ネットワークに使用され得る。例えば、これらの技術は、ＩＳ−２０００および／またはＩＳ−９５を実装するＣＤＭＡ２０００  １Ｘネットワーク、ＩＳ−８５６を実装する１ｘＥＶ−ＤＯネットワーク、Ｗ−ＣＤＭＡを実装する汎用移動通信システム（Universal Mobile Telecommunication Systems：ＵＭＴＳ）ネットワークに使用され得る。ｃｄｍａ２０００ネットワークは、ＣＤＭＡ２０００  １Ｘネットワークまたは１ｘＥＶ−ＤＯネットワークとすることができる。明確にするために、以下の説明のほとんどは、ＣＤＭＡ２０００  １Ｘネットワークについてのものである。
【００１３】
図１は、ＣＤＭＡ２０００  １Ｘネットワーク、１ｘＥＶ−ＤＯネットワーク、またはＵＭＴＳネットワークでもよい、無線多元接続通信ネットワーク１００を示している。ネットワーク１００は、マルチプルの基地局１１０を含み、各基地局は、特定の地理的領域の通信カバレージを提供する。基地局は、一般に、無線装置と通信する固定局である。基地局（ＣＤＭＡ２０００  １Ｘ用語）は、アクセスポイント（１ｘＥＶ−ＤＯ用語）、ＮｏｄｅＢ（ＵＭＴＳ用語）、基地トランシーバ局（base transceiver station：ＢＴＳ）、または他の何らかの用語で呼ばれることもある。
【００１４】
無線装置１２０は、一般に、ネットワークにわたって分散されており、各無線装置は、固定されているか、移動可能とすることができる。無線装置は、移動局（ＣＤＭＡ２０００  １Ｘ用語）、アクセス端末（１ｘＥＶ−ＤＯ用語）、ユーザ機器（ＵＭＴＳ用語）、加入者装置、または他の何らかの用語で呼ばれることもできる。無線装置は、セルラー電話、パーソナルデジタルアシスタント(personal digital assistant)（ＰＤＡ）、無線モデムカードなどとすることができる。各無線装置は、ゼロ、１つ、または場合によってはマルチプルの基地局と、任意の与えられた瞬間に順方向および逆方向のリンクで通信することができる。順方向リンク（またはダウンリンク）は、基地局から無線装置への通信リンクを指し、逆方向リンク（またはアップリンク）は、無線装置から基地局への通信リンクを指す。
【００１５】
図１では、両端に矢印の付いた実線は、無線装置と基地局との間の通信を示す。両端に矢印の付いた点線は、基地局から無線装置への順方向リンクでのパイロットおよび／またはシグナリング(signaling)の送信、および場合によっては無線装置から基地局への逆方向リンクでのアクセスチャネルにおける送信を示す。
【００１６】
ｃｄｍａ２０００では、基地局との通信を開始するため（例えばネットワークに登録するため、発呼するためなど）、およびページングチャネルで受信されたメッセージに応答するために、無線装置によって逆方向アクセスチャネル（Ｒ−ＡＣＨ）が使用される。逆方向エンハンスドアクセスチャネル（Reverse Enhanced Access Channel：Ｒ−ＥＡＣＨ）は、基地局との通信を開始するため、または特にその無線装置に送られたメッセージに応答するために、無線装置によって使用される。Ｒ−ＡＣＨおよびＲ−ＥＡＣＨは、すべての無線装置によって共有される共通チャネルである。無線装置は、公に入手可能な、３ＧＰＰ２  Ｃ．Ｓ０００３−Ｄ、タイトル「Ｍｅｄｉｕｍ  Ａｃｃｅｓｓ  Ｃｏｎｔｒｏｌ（ＭＡＣ）  Ｓｔａｎｄａｒｄ  ｆｏｒ  ｃｄｍａ２０００  Ｓｐｒｅａｄ  Ｓｐｅｃｔｒｕｍ  Ｓｙｓｔｅｍｓ」Ｒｅｖｉｓｉｏｎ  Ｄ、２００４年２月１３日に記載されているランダムアクセス手順に従ってＲ−ＡＣＨまたはＲ−ＥＡＣＨでの送信を行う。
【００１７】
図２は、ｃｄｍａ２０００におけるＲ−ＡＣＨまたはＲ−ＥＡＣＨでの送信の時系列を示している。アクセス試行は、プロトコルデータユニット（ＰＤＵ）を送り、ＰＤＵについての肯定応答を受信する、または受信しないプロセス全体である。１つのアクセス試行は、１つまたはそれより多くのサブ試行を含む。各アクセスサブ試行は、異なる基地局のものであり、１つまたはそれより多くのアクセスプローブシーケンス（access probe sequence）を含む。各アクセスプローブシーケンスは、１つまたはそれより多くのアクセスプローブを含む。各アクセスプローブは、Ｒ−ＡＣＨまたはＲ−ＥＡＣＨでの送信である。
【００１８】
アクセスプローブシーケンスごとに、無線装置は、初期出力電力で、第１のアクセスプローブを基地局に送信する。次いで、無線装置は、基地局からの肯定応答を聞く。肯定応答が受信されない場合、無線装置は、プローブバックオフ（probe backoff）と呼ばれる疑似ランダム期間待ち、次いで、次のアクセスプローブをより高い出力電力で送信する。無線装置は、その後の各アクセスプローブを同じように送信する。無線装置は、（１）肯定応答(acknowledgment)が基地局から受信される、または（２）最大数（Ｎ）のアクセスプローブが送られるまで、アクセスプローブを、一度に１つ送信し続ける。
【００１９】
無線装置が、１つのアクセスプローブシーケンスについてのＮ個の全アクセスプローブを送信し、肯定応答を受信しない場合、無線装置は、シーケンスバックオフ（sequence backoff）と呼ばれる疑似ランダム期間待ち、次いで別のアクセスプローブシーケンスを開始する。無線装置は、前のアクセスプローブシーケンスと同じように、この新しいアクセスプローブシーケンスを送信する。
【００２０】
無線装置は、一般に、以下のように定義された平均出力電力で、Ｒ−ＡＣＨで各アクセスプローブを送信する：
【数１】
2009521878.tif 000003
【００２１】
ここで、平均入力電力は、無線装置での受信された電力であり、
オフセット電力は、帯域クラスに依存する値であり、
干渉補正＝ｍｉｎ｛ｍａｘ（−７−ＥＣＩＯ，０），７｝であり、
ＮＯＭ＿ＰＷＲｓ−１６×ＮＯＭ＿ＰＷＲ＿ＥＸＴｓは、補正値であり、
ＩＮＩＴ＿ＰＷＲｓは、基地局によって提供される初期電力オフセットであり、
ＰＷＲ＿ＬＶＬは、負ではない電力レベル調整ステップであり、
ＰＷＲ＿ＳＴＥＰｓは、出力電力における上方(upward)調整の数である。
【００２２】
平均出力電力は、Ｒ−ＡＣＨでの送信に使用される電力である。式（１）で、入力電力および出力電力は、ｄＢｍの単位であり、他のすべての項は、デシベル（ｄＢ）の単位である。平均入力電力は、受信された電力とも呼ばれ、平均出力電力は、送信電力とも呼ばれる。
【００２３】
式（１）において、ＥＣＩＯは、最強の受信された基地局についての合計の受信された電力スペクトル密度に対するチップ当たりの受信されたパイロットエネルギー（Ｅｃ／Ｉｏ）である。ＮＯＭ＿ＰＷＲｓ、ＮＯＭ＿ＰＷＲ＿ＥＸＴｓ、ＩＮＩＴ＿ＰＷＲｓ、およびＰＷＲ＿ＬＶＬは、システムアクセスパラメータメッセージで各基地局によって同報通信される静的値である。無線装置は、基地局から現在の静的値を取得し、Ｒ−ＡＣＨでの送信のために、これらの静的値を使用する。ＮＯＭ＿ＰＷＲｓ、ＮＯＭ＿ＰＷＲ＿ＥＸＴｓ、およびＩＮＩＴ＿ＰＷＲｓは、基地局によって提供される初期電力レベル、Ｐｉｎｉｔ＿ｂｓを定義し、これは、以下のように与えられる。
【数２】
2009521878.tif 000004
【００２４】
基地局は、ＩＮＩＴ＿ＰＷＲｓ、ＮＯＭ＿ＰＷＲｓ、およびＮＯＭ＿ＰＷＲ＿ＥＸＩＴｓを個別に指定することができる。しかし、基地局は、一般に、ＮＯＭ＿ＰＷＲｓ＝０、およびＮＯＭ＿ＰＷＲ＿ＥＸＴｓ＝０を設定し、この場合、Ｐｉｎｉｔ＿ｂｓ＝ＩＮＩＴ＿ＰＷＲｓである。ＰＷＲ＿ＳＴＥＰｓは、第１のアクセスプローブではゼロに等しく、第２のアクセスプローブでは１に等しく、以下同様である。項（ＰＷＲ＿ＬＶＬ×ＰＷＲ＿ＳＴＥＰｓ）は、第１のアクセスプローブについての初期出力電力からの出力電力の増加に等しい。
【００２５】
Ｒ−ＥＡＣＨでの出力電力の式は、Ｒ−ＡＣＨでの式（１）に似ている。「オフセット電力」は、Ｒ−ＥＡＣＨでは異なる値である。Ｒ−ＡＣＨおよびＲ−ＥＡＣＨについての平均出力電力の式は、公に入手可能な、３ＧＰＰ２  Ｃ．Ｓ０００２−Ｄ、タイトル「Ｐｈｙｓｉｃａｌ  Ｌａｙｅｒ  Ｓｔａｎｄａｒｄ  ｆｏｒ  ｃｄｍａ２０００  Ｓｐｒｅａｄ  Ｓｐｅｃｔｒｕｍ  Ｓｙｓｔｅｍｓ」Ｒｅｖｉｓｉｏｎ  Ｄ、２００４年２月１３日に記載されている。
【００２６】
図３は、Ｒ−ＡＣＨまたはＲ−ＥＡＣＨで送られる各アクセスプローブの出力電力を算出するためのモデル／装置３００を示している。式（１）におけるパラメータは、開ループ電力制御、ＲＦ状態、および基地局が定義した静的値についての３つのカテゴリに分類することができる。
【００２７】
装置３００では、ユニット３１０は、無線装置によって測定された受信された電力、および適用可能なオフセット電力値を取得し、開ループ電力制御部分についての第１の中間値Ｐ１を算出する。第１の中間値は、式（１）で「−」記号によって示されているように、受信された電力に関して逆に変動する。したがって、より高い受信された電力は、より低いＰ１値、およびしたがってより低い出力電力に対応し、逆も同様である。オフセット電力は、チャネルタイプ（例えばＲ−ＡＣＨまたはＲ−ＥＡＣＨ）および帯域クラス（例えばセルラーまたはＰＣＳ帯域）によって決定される固定値である。
【００２８】
ユニット３１２は、無線装置によって測定されたＥｃ／Ｉｏ（またはＥＣＩＯ）を受信し、干渉補正である第２の中間値Ｐ２を算出する。Ｒ−ＡＣＨの場合、干渉補正は、ｍｉｎ｛ｍａｘ（−７−ＥＣＩＯ，０），７｝に等しく、これは、干渉補正は−７−ＥＣＩＯに等しいが、０ｄＢから７ｄＢの範囲以内になるように制約されることを意味する。Ｒ−ＥＡＣＨの場合、干渉補正は、ｍｉｎ｛ｍａｘ（ＩＣ＿ＴＨＲＥＳＨ−ＥＣＩＯ，０），ＩＣ＿ＭＡＸ｝に等しく、この場合、ＩＣ＿ＴＨＲＥＳＨおよびＩＣ＿ＭＡＸは、基地局によって提供される。
【００２９】
ユニット３１４は、基地局によって提供された静的値ＮＯＭ＿ＰＷＲｓ、ＮＯＭ＿ＰＷＲ＿ＥＸＴｓ、ＩＮＩＴ＿ＰＷＲｓ、およびＰＷＲ＿ＬＶＬを受信し、第３の第２の中間値、Ｐ３を算出する。ＩＮＩＴ＿ＰＷＲｓは、−１６ｄＢから＋１５ｄＢの範囲および０ｄＢの公称値を有する。ＰＷＲ＿ＳＴＥＰｓは、０ｄＢから７ｄＢの範囲を有する。静的値は、基地局によって同報通信される。
【００３０】
加算器３２０は、ユニット３１０、３１２、および３１４からのそれぞれの第１、第２、および第３の中間値を合計し、出力電力を提供し、これはＰｏｕｔ＝Ｐ１＋Ｐ２＋Ｐ３である。第１の中間値は、受信された電力の変化により、アクセスプローブごとに異なり得る。また、第２の中間値は、測定されたＥｃ／Ｉｏの変化により、アクセスプローブごとに異なり得る。第３の中間値は、アクセスプローブシーケンスにおける第１のアクセスプローブについてのＰｉｎｉｔ＿ｂｓに等しく、そのシーケンスにおけるその後のアクセスプローブごとに、ＰＷＲ＿ＬＶＬだけ増加する。ＰＷＲ＿ＬＶＬずつの上方調整は、失敗したアクセスプローブの後の成功の可能性を改善させるためのものである。
【００３１】
各基地局は、その基地局に送られるアクセスプローブに使用するために静的値を同報通信する。一般に、静的値は、その基地局のカバレージ内のすべての無線装置について、よいアクセス性能を達成できるように、基地局ごとに定義される。初期電力レベルＰｉｎｉｔ＿ｂｓは、それが無線装置によって送られた各アクセスプローブの出力電力を決定するため、特に重要である。低い初期電力レベルの結果、より低い出力電力がアクセスプローブに使用されることになり、その結果、いくつかの無線装置でのアクセスプローブの失敗率がより高くなることがある。より高い失敗率の結果、より多くのアクセスプローブが送られることになり、この結果、無線装置でバッテリ電力が消費され、さらに、ネットワークにおける他の無線装置へのより多くの干渉が発生する。より高い失敗率は、登録の遅延または失敗、呼設定の遅延または失敗、ユーザの不満、および場合によっては他の悪影響を生じさせることもある。したがって、すべての無線装置についてよい性能を達成できるように、一般に、保守的な初期電力レベルが選択される。
【００３２】
基地局ごとに、初期電力レベルＰｉｎｉｔ＿ｂｓは、例えば、システムの処理量および／または他の問題に基づいて、時間が経つと変わり得る。一般に、有限の組の初期電力レベルの中から、１つの初期電力レベルが使用に選択される。選択された初期電力レベルは、無線装置に同報通信される。各無線装置は、基地局によって同報通信された現在の初期電力レベルを使用する。
【００３３】
基地局によって使用に選択された初期電力レベルは、一般に、保守的な値であり、多くの具体例において必要なものより高い。例えば、商業展開されたＣＤＭＡ２０００  １Ｘネットワークの研究は、一般に０ｄＢから７ｄＢの初期電力レベルが使用に選択されることを明らかにした。この研究の実験では、無線装置が、登録の遅延／失敗、および呼設定の遅延／失敗に関して、性能の任意の顕著な低下を経験することなく、より低い初期電力レベル（例えば、基地局が選択した初期電力レベルより約１０ｄＢ低い）を使用することができることが示された。
【００３４】
一態様では、無線装置は、一般に、基地局が選択した初期電力レベル、Ｐｉｎｉｔ＿ｂｓより低いが、依然としてよい性能を提供する初期電力レベル、Ｐｉｎｉｔ＿ｗｄを選択する。無線装置は、例えば、現在のＲＦ状態、無線装置による前のアクセス試行についての履歴情報など、様々なパラメータに基づいて、初期電力レベル、Ｐｉｎｉｔ＿ｗｄを選択することができる。初期電力レベル、Ｐｉｎｉｔ＿ｗｄは、以下に記載したように、様々な方法で選択することもできる。
【００３５】
図４は、無線装置による電力調整が行われる、Ｒ−ＡＣＨまたはＲ−ＥＡＣＨで送られる各アクセスプローブの出力電力を算出するための装置４００の一実施形態を示す。装置４００は、図３のユニット３１０、３１２、および３１４とそれぞれ同様に動作するユニット４１０、４１２、および４１４を含む。電力調整ユニット４１６は、無線装置による出力電力の調整に使用される１つまたはそれより多くのパラメータを受信し、第４の中間値、Ｐａｄｊを算出し、それは出力電力を低減するよう試行する電力調整である。加算器４２０は、それぞれユニット４１０、４１２、４１４、および４１６からの第１、第２、第３、および第４の中間値を合計し、出力電力を提供し、これは、Ｐｏｕｔ＝Ｐ１＋Ｐ２＋Ｐ３＋Ｐａｄｊである。
【００３６】
電力調整ユニット４１６は、例えば、現在のＲＦ状態、１つまたはそれより多くの前のアクセス試行で観察されたＲＦ状態、（複数の）前のアクセス試行についての性能など、様々なパラメータに基づいて、電力調整、Ｐａｄｊを算出することができる。ＲＦ状態は、合計の受信された電力、受信されたパイロット電力、パイロットＥｃ／Ｉｏ、受信信号の品質など、様々な測定基準(metrics)によって量子化され得る。（複数の）前のアクセス試行についての性能は、例えば、最新のアクセス試行のために送られたアクセスプローブの数、いくつかの前のアクセス試行のために送られたアクセスプローブの平均数など、様々な測定基準によって量子化することができる。また、電力調整は、様々なアルゴリズムおよび関数に基づいて算出することができる。
【００３７】
電力調整を導出する際に、以下の目標を考慮する必要がある。
【００３８】
１．収束−電力調整は、任意のＲＦ状態においてよい性能を提供することができる最適値に近づく必要がある。
【００３９】
２．適応性−電力調整は、ＲＦ状態の変化に適応しなければならないが、高速フェージングに敏感であってはならない。
【００４０】
３．省力化−電力調整は、Ｐａｄｊ≦０となるように、電力調整が適用されなかった場合より出力電力が高くなってはならない。
【００４１】
よい性能は、例えば１つのアクセス試行について必要なアクセスプローブを１つまたは２つのみとすることによって量子化され得る。
【００４２】
図５は、図４の電力調整ユニット４１６の一実施形態を示す。この実施形態では、電力調整は、現在のＲＦ状態、前のＲＦ状態、アクセスプローブの前の数、および前の電力調整に基づいて導出される。前のＲＦ状態は、前のアクセス試行についてのＲＦ状態である。アクセスプローブの前の数は、前のアクセス試行についてのアクセス試行の数である。前の電力調整は、前のアクセス試行についての電力調整である。この実施形態では、前のＲＦ状態、アクセスプローブの前の数、および前の電力調整は、メモリ５３０に格納されている履歴情報である。算出ユニット５３２は、現在および前のＲＦ状態およびアクセスプローブの前の数を受信し、入力パラメータに基づいて、電力デルタ、Ｐｄｅｌｔａを導出する。以下に示すように、ユニット５３２には、ルックアップテーブルが実装されてもよい。加算器５３４は、前の電力調整、Ｐａｄｊ＿ｐｒｉｏｒを受信し、電力デルタと合計する。リミタ(limiter)５４０は、加算器５３４の出力を受信し、ゼロ以下に制限し、現在のアクセス試行についての電力調整、Ｐａｄｊを提供する。
【００４３】
図５に示されている実施形態では、無線装置によって選択された初期電力レベルは、基地局によって提供された初期電力レベル＋電力調整に等しく、すなわち以下の通りである：
【数３】
2009521878.tif 000005
【００４４】
リミタ５４０によりＰａｄｊ≦０となるため、Ｐｉｎｉｔ＿ｗｄ≦Ｐｉｎｉｔ＿ｂｓとなり、上記の目標３が満たされる。加算器４２０によってＰ１、Ｐ２、およびＰ３が電力調整に追加される。図５に示されている実施形態では、電力調整は、明示的に算出され、無線装置によって選択された初期電力レベル、Ｐｉｎｉｔ＿ｗｄは、暗黙的に算出される。
【００４５】
図５に示されている実施形態では、メモリ５３０、算出ユニット５３２、加算器５３４、およびリミタ５４０は、よい性能を達成するために現在の情報および履歴情報に基づいて、電力調整、Ｐａｄｊを変える閉ループを形成する。
【００４６】
図６は、無線装置による電力調整が行われる、Ｒ−ＡＣＨまたはＲ−ＥＡＣＨで送られる各アクセスプローブの出力電力の算出にも使用され得る装置６００の一実施形態を示している。装置６００は、図３のユニット３１０および３１２と同様にそれぞれ動作するユニット６１０および６１２を含む。電力調整ユニット６１６は、無線装置によって選択された初期電力レベル、Ｐｉｎｉｔ＿ｗｄを導出し、算出ユニット６１４は、初期電力レベルＰｉｎｉｔ＿ｗｄにより、第３の中間値Ｐ３を算出する。
【００４７】
図６に示されている実施形態では、初期電力レベル、Ｐｉｎｉｔ＿ｗｄは、現在および前のＲＦ状態、アクセスプローブの前の数、および前の初期電力レベルに基づいて導出される。前の初期電力レベルは、前のアクセス試行についての初期電力レベルである。この実施形態では、前のＲＦ状態、アクセスプローブの前の数、および前の初期電力レベルは、メモリ６３０に格納されている履歴情報である。電力調整ユニット６１６内で、算出ユニット６３２は、現在および前のＲＦ状態およびアクセスプローブの前の数を受信し、入力パラメータに基づいて、電力デルタ、Ｐｄｅｌｔａを導出する。以下に示すように、ユニット６３２は、ルックアップテーブルが実装されてもよい。加算器６３４は、前の初期電力レベル、Ｐｉｎｉｔ＿ｐｒｉｏｒを受信し、電力デルタと合計し、現在のアクセス試行についての初期電力レベル、Ｐｉｎｉｔ＿ｗｄを提供する。図６に示されている実施形態では、初期電力レベル、Ｐｉｎｉｔ＿ｗｄは、明示的に算出される。メモリ６３０、算出ユニット６３２、および加算器６３４は、よい性能を達成するために、現在の情報および履歴情報に基づいて、初期電力レベル、Ｐｉｎｉｔ＿ｗｄを変える閉ループを形成する。
【００４８】
算出ユニット６１４内で、算出ユニット６４０は、静的値、ＩＮＩＴ＿ＰＷＲｓ、ＮＯＭ＿ＰＷＲｓ、およびＮＯＭ＿ＰＷＲ＿ＥＸＴｓを受信し、基地局によって提供された初期電力レベル、Ｐｉｎｉｔ＿ｂｓを導出する。セレクタ６４２は、基地局によって提供された初期電力レベル、Ｐｉｎｉｔ＿ｂｓ、および無線装置によって選択された初期電力レベル、Ｐｉｎｉｔ＿ｗｄを受信し、２つの値の低い方を、現在のアクセス試行に使用する初期電力レベル、Ｐｉｎｉｔとして提供する。算出ユニット６４４は、電力レベル調整ステップ、ＰＷＲ＿ＬＶＬを受信し、現在のアクセスプローブ数、ＰＷＲ＿ＳＴＥＰｓとの乗算を行い、現在のアクセスプローブについての電力増加値、Ｐｉｎｃを提供する。加算器６４６は、初期電力レベルＰｉｎｉｔおよび電力増加値を合計し、第３の中間値、Ｐ３’を提供する。
【００４９】
加算器６２０は、ユニット６１０、６１２、および６１４からのそれぞれの中間値Ｐ１、Ｐ２、およびＰ３’を合計し、出力電力、Ｐｏｕｔを提供し、これは、以下のように表すことができる：
【数４】
2009521878.tif 000006
【００５０】
式（４）を式（１）と比較すると、静的値ＩＮＩＴ＿ＰＷＲｓ、ＮＯＭ＿ＰＷＲｓ、およびＮＯＭ＿ＰＷＲ＿ＥＸＴｓは、現在のアクセス試行についての初期電力レベル、Ｐｉｎｉｔと置き換えられている。図６に示されている実施形態では、電力調整は、暗黙的に算出され、無線装置によって選択された初期電力レベルは、明示的に算出される。
【００５１】
図５および図６に示されている実施形態では、電力デルタ、Ｐｄｅｌｔａは、現在および前のＲＦ状態、およびアクセスプローブの前の数に基づいて導出される。現在のＲＦ状態と前のＲＦ状態との間の差は、最初に、以下のように決定することができる：
【数５】
2009521878.tif 000007
【００５２】
ＲＦ状態は、パイロットＥｃ／Ｉｏ、受信されたパイロット電力、合計の受信された電力などによって与えられ得る。
【００５３】
一般に、電力調整、Ｐａｄｊ、およびしたがって出力電力は、前のアクセス試行についての性能がよかった（例えば、より少ないアクセスプローブが送られた）場合、低減され、性能が劣っていた（例えば、多すぎるアクセスプローブが送られた）場合、増加され得る。さらに、電力調整は、最後のアクセス試行以降に現在のＲＦ状態が改善した場合、低減され、最後のアクセス試行以降の現在のＲＦ状態が低下した場合、増加され得る。ＲＦ状態の差、およびアクセスプローブの前の数は、ルックアップテーブルに提供され、これは次いで、電力デルタ、Ｐｄｅｌｔａを戻し得る。電力デルタは、電力調整を変えるか維持するか、そして変える場合は、電力調整をどの方向におよびどのくらい変えるかを示す。
【００５４】
表１は、電力デルタ（Ｐｄｅｌｔａ）対ＲＦ状態の差（ｘ）およびアクセスプローブの前の数についてのルックアップテーブル例を示しており、ここでＰｄｅｌｔａおよびｘは、ｄＢの単位で提供される。表１では、ＲＦ状態の差についての正の値は、現在のＲＦ状態が前のＲＦ状態より改善したことを示す。表１の例では、前のアクセス試行の性能がよく、必要なアクセスプローブが１つのみであった場合、電力デルタは、負であり、ＲＦ状態が改善しているか、または２ｄＢより多く低下していない場合に電力調整を低減させ、ＲＦ状態の改善が大きいほど、より大きい電力デルタが使用される。性能が並であり、必要なアクセスプローブが２つであった場合、電力デルタは、正であり、ＲＦ状態が３ｄＢより多く改善していない場合、電力調整を増加させ、ＲＦ状態のより大きい低下についてより大きい電力デルタが使用される。性能が劣っており、必要なアクセスプローブが３つであった場合、電力デルタは、正であり、ＲＦ状態が４ｄＢより多く改善していない場合、電力調整を増加させ、ＲＦ状態のより大きい低下についてより大きい電力デルタが使用される。（１）性能が非常に劣っており、３つより多くのアクセスプローブが必要とされる場合、または（２）最後のアクセス試行について、ＲＦ状態が、よい性能の場合は５ｄＢより多く低下し、または並または劣っている性能の場合は３ｄＢより多く低下した場合、電力デルタが再設定され、基地局によって提供された初期電力レベル、Ｐｉｎｉｔ＿ｂｓが使用される。
【表１】
2009521878.tif 000008
【００５５】
表１は、２つの入力パラメータのそれぞれについてマルチプルのしきい値がある特定の設計を示している。一般に、各入力パラメータの任意の数のしきい値を使用して、任意の数の入力パラメータを電力デルタにマッピングすることができる。しきい値は、静的または動的な値とすることができる。入力パラメータを、他の方法で、および／または他のルックアップテーブルに基づいて、電力デルタにマッピングすることもできる。例えば、電力デルタは、入力パラメータの一次関数に基づいて導出され、指定された制限内に制約され得る。入力パラメータは、例えば、表１に示されるように、一緒に電力デルタにマッピングされてもよい。あるいは、各入力パラメータは、独立して調整値にマッピングすることができ、電力デルタを得るために、すべての入力パラメータの調整値が結合され（例えば、合計され）てもよい。
【００５６】
前のアクセス試行についての性能は、前のアクセス試行（Ｐａｄｊ＿ｐｒｉｏｒやＰｉｎｉｔ＿ｐｒｉｏｒなど）および前のＲＦ状態のために導出された電力値を使用して達成された。前の電力値は電力デルタだけ変えられ、それは、現在のアクセス試行についてよい性能が達成され得るように、ＲＦ状態の変化および前のアクセス性能に基づいて決定される。表１に示されている電力デルタ値は、前のアクセス試行についての性能の異なるレベルについて、およびＲＦ状態の変化の異なる量に関して、前の電力値をどの程度変えるかの推定である。電力デルタ値は、コンピュータシミュレーション、実験的測定、実地試験などを介して得ることができる。
【００５７】
上述したように、ＩＮＩＴ＿ＰＷＲｓ、ＮＯＭ＿ＰＷＲｓ、およびＮＯＭ＿ＰＷＲ＿ＥＸＴｓの異なる値は、使用のために選択され、選択されたＩＮＩＴ＿ＰＷＲｓ、ＮＯＭ＿ＰＷＲｓ、およびＮＯＭ＿ＰＷＲ＿ＥＸＴｓの値は、無線装置に同報通信される。異なるＰｉｎｉｔ＿ｂｓ値は、異なるＩＮＩＴ＿ＰＷＲｓ、ＮＯＭ＿ＰＷＲｓ、およびＮＯＭ＿ＰＷＲ＿ＥＸＴｓ値で得られ、異なるチャネル条件、異なるシステム処理量などを示し得る。一実施形態では、無線装置は、基地局によって提供されたＰｉｎｉｔ＿ｂｓ値ごとに別々に履歴情報を維持する。
【００５８】
表２は、ｎが任意の整数値である場合、異なるｎ個のＰｉｎｉｔ＿ｂｓ値についての履歴情報の表の例を示す。表２は、図６に示されている実施形態についてのものであり、初期電力レベルＰｉｎｉｔ、アクセスプローブの数、およびＰｉｎｉｔ＿ｂｓ値ごとの最後のアクセス試行についてのＲＦ状態を格納する。無線装置は、基地局によって提供される新しいＰｉｎｉｔ＿ｂｓ値ごとに表２を増加させることができる。無線装置は、各アクセス試行の後、表２の適切な入力（または列）を更新することができる。  
【表２】
2009521878.tif 000009
【００５９】
アクセス試行を行う前に、無線装置は、アクセス試行が行われるべき基地局の現在のＰｉｎｉｔ＿ｂｓ値を決定する。次いで無線装置は、このＰｉｎｉｔ＿ｂｓ値の履歴情報を使用して、電力値（ＰａｄｊやＰｉｎｉｔなど）を導出する。例えば、現在のＰｉｎｉｔ＿ｂｓ値がＢ２に等しい場合、無線装置は、Ｙ２、Ｚ２、およびＲ２を使用して、電力値を導出する。
【００６０】
本明細書に記載した技術は、１ｘＥＶ−ＤＯネットワークに使用することもできる。無線装置は、１ｘＥＶＤＯアクセス状態に入り、１ｘＥＶ−ＤＯネットワークにアクセスするために、アクセス手順を行う。このアクセス手順では、ＮＳおよびＮＰが構成可能なパラメータである場合、無線装置は、最高ＮＳ個までのアクセスプローブシーケンスを１ｘＥＶ−ＤＯネットワークに送信し、アクセスプローブシーケンスごとに最高ＮＰ個までのアクセスプローブを送信することができる。
【００６１】
第１のアクセスプローブシーケンスを送る前に、無線装置は、持続性テスト（persistence test）を行い、これは、アクセスチャネルへの輻輳を制御するために使用される。持続性テストが合格すると、無線装置は、アクセスチャネルで第１のアクセスプローブを送信し、１ｘＥＶ−ＤＯネットワークからのアクセスチャネル肯定応答（ＡＣＡｃｋ）メッセージを聞く。ＡＣＡｃｋメッセージが受信されない場合、無線装置は、疑似ランダム期間待ち、次いで第２のアクセスプローブを送信する。無線装置は、その後の各アクセスプローブを同じように送信する。無線装置は、第１のアクセスプローブシーケンスについてのＮＰ個のすべてのアクセスプローブを送信し、ＡＣＡｃｋメッセージを受信していない場合、疑似ランダム期間待ち、第２のアクセスプローブシーケンスを開始する。無線装置は、このアクセス手順について、最高ＮＳ個までのアクセスプローブシーケンスを送信することができる。１ｘＥＶ−ＤＯのアクセス手順は、公に入手可能な、３ＧＰＰ２  Ｃ．Ｓ００２４−Ａ、タイトル「ｃｄｍａ２０００  Ｈｉｇｈ  Ｒａｔｅ  Ｐａｃｋｅｔ  Ｄａｔａ  Ａｉｒ  Ｉｎｔｅｒｆａｃｅ  Ｓｐｅｃｉｆｉｃａｔｉｏｎ」Ｖｅｒｓｉｏｎ  １．０、２００４年３月に記載されている。
【００６２】
無線装置は、アクセスプローブシーケンスごとに、増加する出力電力でアクセスプローブを送信する。ｉ番目のアクセスプローブの出力電力は、以下のように表すことができる：
【数６】
2009521878.tif 000010
【数７】
2009521878.tif 000011
【００６３】
ここで、平均Ｒｘ電力は、無線装置によって測定された合計の受信された電力であり、
Ｘ０は、第１のアクセスプローブの出力電力であり、
開ループ調整は、開ループ電力推定に使用される公称電力であり、
プローブ初期調整は、開ループ電力推定の補正係数であり、
電力ステップは、各アクセスプローブの出力電力の増加である。
【００６４】
式（６）および（７）で、開ループ調整、プローブ初期調整、および電力ステップは、１ｘＥＶ−ＤＯネットワークにおける基地局によって同報通信される静的値である。
【００６５】
無線装置は、例えば図４および図５に関して上述したように、現在の情報および履歴情報に基づいて、電力調整、Ｐａｄｊを導出することができる。次いで、無線装置は、以下のように、この電力調整を使用して、出力電力を決定することができる：
【数８】
2009521878.tif 000012
【００６６】
あるいは、無線装置は、例えば図６に関して上述したように、Ｘ０、または電力調整を組み込む他の何らかの中間値を導出することができる。また、無線装置は、電力調整を組み込む他の方法で、アクセスプローブの出力電力を調整することもできる。
【００６７】
本明細書に記載した技術は、ＵＭＴＳネットワークに使用することもできる。無線装置は、ネットワークへの最初のアクセス（例えば登録、発呼、ページング応答のためなど）に、また（ショートメッセージサービス（Short Messaging Service：ＳＭＳ）メッセージなどの）短いデータバースト（short data burst）の送信に、ランダムアクセスチャネル（ＲＡＣＨ）を使用することができる。ＲＡＣＨは、トランスポートチャネルであり、物理ランダムアクセスチャネル（ＰＲＡＣＨ）で運ばれる。
【００６８】
無線装置は、ＰＲＡＣＨでのランダムアクセス送信のための物理ランダムアクセス手順を行う。この手順では、無線装置は、メッセージにより後続される１つまたはそれより多くのプリアンブルを送信する。プリアンブルは、肯定応答（ＡＣＫ）がネットワークから受信されるまで、一度に１つ、増加した電力で送信される。ＡＣＫが受信されると、無線装置は、メッセージを送信する。ＵＭＴＳでの物理ランダムアクセス手順は、公に入手可能な３ＧＰＰ  ＴＳ  ２５．２１１および３ＧＰＰ  ＴＳ  ２５．２１４に記載されている。
【００６９】
ランダムアクセス送信では、無線装置は、各プリアンブルを増加する電力で送信する。ｉ番目のプリアンブルの出力電力は、以下のように表すことができる：
【数９】
2009521878.tif 000013
【数１０】
2009521878.tif 000014
【００７０】
ここで、１次ＣＰＩＣＨ  ＴＸ電力は、ＣＰＩＣＨで送られるパイロットの送信電力であり、
ＣＰＩＣＨ＿ＲＳＣＰは、無線装置によって測定された受信されたパイロット電力であり、
ＵＬ干渉は、補正係数であり、
定数値は、オフセットであり、
Ｐｒｅａｍｂｌｅ＿Ｉｎｉｔｉａｌ＿Ｐｏｗｅｒは、第１のプリアンブルの出力電力であり、
電力ランプステップ(Power Ramp Step)は、各プリアンブルの出力電力の増加である。
【００７１】
式（９）および（１０）で、１次ＣＰＩＣＨ  ＴＸ電力、ＵＬ干渉、定数値、および電力ランプステップは、ＵＭＴＳネットワークにおける基地局によって同報通信される静的値である。
【００７２】
無線装置は、例えば図４および図５に関して上述したように、現在の情報および履歴情報に基づいて、電力調整、Ｐａｄｊを導出することができる。次いで、無線装置は、以下のように、この電力調整を使用して、出力電力を決定することができる：
【数１１】
2009521878.tif 000015
【００７３】
あるいは、無線装置は、例えば図６に関して上述したように、Ｐｒｅａｍｂｌｅ＿Ｉｎｉｔｉａｌ＿Ｐｏｗｅｒ、または電力調整を組み込む他の何らかの中間値を導出することができる。また、無線装置は、電力調整を組み込む他の方法で、ランダムアクセス送信の出力電力を調整することもできる。
【００７４】
図７は、通信ネットワークにおけるアクセスチャネルでの送信のために、無線装置によって実行されるプロセス７００の一実施形態を示す。プロセス７００は、アクセス試行ごとに行うことができる。
【００７５】
アクセス試行の開始時に、前のアクセス試行についての履歴情報が取得される（ブロック７１２）。この履歴情報は、前のアクセス試行のＲＦ状態、前のアクセス試行のために送られたアクセスプローブの数、前のアクセス試行に使用された電力値などを含み得る。電力値は、図５に示されている電力調整、図６に示されている初期電力レベル、またはアクセスチャネルの出力電力の算出に使用される他の何らかの値とすることができる。履歴情報は、例えば表２に関して上述したように、現在のアクセス試行に適用可能な初期電力レベルに依存し得る。
【００７６】
現在のＲＦ状態が決定される（ブロック７１４）。ＲＦ状態は、上述したように、合計の受信された電力、パイロットＥｃ／Ｉｏ、受信されたパイロット電力、受信信号の品質など、様々なパラメータによって量子化され得る。次いで、現在のアクセス試行のために送られるべき新しいアクセスプローブの電力値が、現在のＲＦ状態および履歴情報に基づいて決定される（ブロック７１６）。電力値は、例えば図５および図６に関して上述したように、様々な方法で決定され得る。電力値は、よい性能を達成するために、閉ループ方法で調整することができる。電力値への調整の量は、前の性能（例えば前のアクセス試行のために送られたアクセスプローブの数）、現在のアクセス試行と前のアクセス試行との間のＲＦ状態の変化などに依存し得る。
【００７７】
電力値および他の適用可能なパラメータを使用して、新しいアクセスプローブの出力電力が決定される（ブロック７１８）。通信ネットワークは、アクセスプローブの出力電力を算出するための特定の式を定義することができ、静的値を提供することもできる。電力値は、式（８）および（１１）に示されている電力調整、Ｐａｄｊなど、追加のパラメータとして扱われ得る。電力値は、例えば式（４）に示されている初期電力レベル、Ｐｉｎｉｔのような、式におけるパラメータを置き換えることもできる。どんな場合でも、新しいアクセスプローブの出力電力は、現在の情報および履歴情報に基づいて決定され、調整される。
【００７８】
新しいアクセスプローブ（またはプリアンブル）は、このアクセスプローブのために決定された出力電力で送信される（ブロック７２０）。次いで、システムアクセスが成功したか、現在のアクセス試行のために最大数のアクセスプローブが送られたかの決定が行われる（ブロック７２２）。ブロック７２２のいずれの状態も真ではない場合、プロセス７００は、ブロック７１４に戻って別のアクセスプローブを送る。そうでない場合、ブロック７２２における状態のいずれか一方が真である場合、現在のアクセス試行は終了する。現在のアクセス試行を完了すると、履歴情報は、このアクセス試行についての情報を含むように更新される（ブロック７２４）。例えば、電力値、ＲＦ状態、および現在のアクセス試行のために送られたアクセスプローブの数は、前のアクセス試行の対応する入力に上書きする場合がある。
【００７９】
上述した実施形態では、履歴情報は、最新のアクセス試行のために維持される。一般に、履歴情報は、任意の数のアクセス試行のために維持され得る。さらに、履歴情報は、任意のタイプの情報を含み得る。例えば、履歴情報は、アクセス試行が行われた時の無線装置の位置および／または時間などを含み得る。次いで、現在のアクセス試行の電力値が、追加の情報に基づいて決定され得る。
【００８０】
図８は、本明細書に記載された技術を実施することができる無線装置１２０の一実施形態を示す。送信パスでは、無線装置１２０によって送られるデータおよびシグナリングは、符号器８２２によって処理（フォーマット、符号化、インターリーブなど）され、変調器（Ｍｏｄ）８２４によってさらに処理（変調、拡散、チャネライズ、スクランブルなど）されて、データチップの流れを生成する。送信機（ＴＭＴＲ）８３２は、データチップの流れを調整（アナログへの変換、フィルタ処理、増幅、周波数のアップコンバートなど）して、アンテナ８３６を介して送信される逆リンク信号を生成する。受信パスでは、ネットワークにおける基地局によって送信される順方向リンク信号がアンテナ８３６によって受信され、受信機（ＲＣＶＲ）８３８に提供される。受信機８３８は、受信信号を調整（フィルタ処理、増幅、周波数のダウンコンバート、デジタル化など）して、データサンプルを生成する。復調器（Ｄｅｍｏｄ）８２６は、データサンプルを処理（逆スクランブル、逆拡散、チャネライズ、復調など）して、シンボル推定を取得する。復号器８２８は、シンボル推定をさらに処理（デインターリーブ、復号など）して、復号されたデータを取得する。符号器８２２、変調器８２４、復調器８２６、および復号器８２８は、モデムプロセッサ８２０によって実装されることができる。これらの装置は、ネットワークによって指定された処理を行う。
【００８１】
コントローラ／プロセッサ８４０は、無線装置１２０内の様々な装置の動作を指示する。メモリ８４２は、コントローラ／プロセッサ８４０および他の装置によって使用されるプログラムコードおよびデータを格納する。コントローラ／プロセッサ８４０は、アクセスチャネルでの送信のための出力電力を制御するために、図５の装置４００、図６の装置６００、および／または図７のプロセス７００を実施することができる。
【００８２】
図９は、本明細書に記載されている電力調整が行われない、および電力調整が行われる、ＣＤＭＡ２０００  １Ｘネットワークにおけるアクセスチャネルでの送信のための実地試験の結果を示す。各アクセス試行における第１のアクセスプローブに使用される出力電力は、図９の上半分の縦線として描かれている。無線装置での受信された電力は、図９の下半分に示されている。図９の左半分は、電力調整を行わないテストの部分の結果を示す。このテスト部分では、３２のアクセス試行が行われ、アクセス試行当たりのアクセスプローブの平均数は、１．３であり、アクセスプローブの平均出力電力は、２３ｄＢｍであった。図９の右半分は、電力調整を行うテストの部分の結果を示す。このテスト部分では、３４のアクセス試行が行われ、アクセス試行当たりのアクセスプローブの平均数は、１．２であり、アクセスプローブの平均出力電力は、１１．７ｄＢｍであった。平均電力調整は、１２．５ｄＢであった。２つのテスト部分の間の性能のわずかな差は、受信された電力の無作為の変動によるものであった。テストは、無線装置が、アクセスチャネルのその出力電力を相対的に大量に（このテストでは約１２ｄＢ）低減し、依然としてよいアクセス性能を達成することができることを示していた。
【００８３】
例えば登録および他の目的のために、無線装置がネットワークとの呼設定状態にない場合でさえ、無線装置は、アクセスプローブを定期的に送信することができる。アクセスチャネルのより低い出力電力は、様々な利益を提供することができる。まず、無線装置は、その消費電力を低減し、アクセスチャネルでの送信に、より少ない出力電力を使用することによって、場合によってはバッテリ寿命を延ばすことができる。第２に、アクセスチャネルのより低い出力電力は、逆方向リンクでの干渉を低減することができ、このことは、システム容量を改善させ得る。
【００８４】
本明細書に記載されている技術は、様々な手段によって実装することができる。例えば、これらの技術は、ハードウェア、ファームウェア、ソフトウェア、またはその組み合わせに実装されてもよい。ハードウェア実装の場合、こうした技術に使用される処理装置は、１つまたはそれより多くの特定用途向け集積回路（ＡＳＩＣｓ）、デジタル信号プロセッサ（ＤＳＰｓ）、デジタル信号処理装置（ＤＳＰＤｓ）、プログラム可能論理装置（ＰＬＤｓ）、フィールドプログラマブルゲートアレイ（ＦＰＧＡｓ）、プロセッサ、コントローラ、マイクロコントローラ、マイクロプロセッサ、電子機器、本明細書に記載された機能を実行するように設計されている他の電子装置、またはその組み合わせ内に実装され得る。
【００８５】
ファームウェアおよび／またはソフトウェア実装の場合、こうした技術は、本明細書に記載された機能を実行するモジュール（手順、関数など）により実装され得る。ソフトウェアコードは、メモリ（図８のメモリ８４２など）に格納され、プロセッサ（プロセッサ８４０など）によって実行され得る。メモリは、プロセッサ内に実装されてもよく、またはプロセッサの外部に実装されてもよい。
【００８６】
開示された実施形態の上記の説明は、当業者であれば誰でも本発明を作成し、または使用できるように提供されている。これらの実施形態への様々な変更は、当業者には容易に明らかであり、本明細書に定義された一般原則は、本発明の意図または範囲から逸脱することなく、他の実施形態に適用され得る。したがって、本発明は、本明細書に示された実施形態に限定されるものではなく、本明細書に開示された原理および新規の特徴と合致する最も広い範囲が与えられるものとする。
【図面の簡単な説明】
【００８７】
【図１】無線多元接続通信ネットワークを示す図。
【図２】ｃｄｍａ２０００における逆方向アクセスチャネル（Ｒ−ＡＣＨ）または逆方向エンハンスドアクセスチャネル（Ｒ−ＥＡＣＨ）での送信を示す図。
【図３】Ｒ−ＡＣＨまたはＲ−ＥＡＣＨについての出力電力の算出を示す図。
【図４】無線装置による電力調整を伴う、Ｒ−ＡＣＨまたはＲ−ＥＡＣＨについての出力電力の算出の一実施形態を示す図。
【図５】電力調整装置を示す図。
【図６】無線装置による電力調整を伴う、Ｒ−ＡＣＨまたはＲ−ＥＡＣＨについての出力電力の算出の別の一実施形態を示す図。
【図７】アクセスチャネルでの送信のプロセスを示す図。
【図８】無線装置のブロック図。
【図９】電力調整が行われる、および電力調整が行われない性能を示す図。
【図１】
2009521878.tif 000016
【図２】
2009521878.tif 000017
【図３】
2009521878.tif 000018
【図４】
2009521878.tif 000019
【図５】
2009521878.tif 000020
【図６】
2009521878.tif 000021
【図７】
2009521878.tif 000022
【図８】
2009521878.tif 000023
【図９】
2009521878.tif 000024
【国際調査報告】
2009521878.tif 000025
2009521878.tif 000026